(57)【特許請求の範囲】
【請求項１】
ネットオークションを管理するオークション管理サーバと、
前記オークション管理サーバからアクセス可能で、番組情報を登録した番組表データベ
ースと、
前記オークション管理サーバとネットワークを介して接続されたユーザ端末とからなり
、
前記オークション管理サーバは、
ＩＤとパスワードとの入力画面を生成してネットワークを介して前記ユーザ端末に送信
し、
前記ユーザ端末からＩＤとパスワードとが入力されると少なくとも日時と、番組ジャン
ルと、キーワードと、縦軸（または横軸）に時間、横軸（または縦軸）にチャンネルを配置した電子番組表とを前記ユーザ端末に送信・表示することにより、ユーザが前記電子番組表を参照して番組領域の大きさや時間帯を視覚的に認識しながら入札を行うことを可能とし、
前記ユーザ端末からの日時、番組ジャンル、キーワード、または番組表での広告入札を
受け付け、
前記広告に対する最高入札金額を前記ユーザ端末に送信・表示し、
前記最高入札金額に対する当該ユーザの入札金額の入力を受け付けるオークション管理
サーバによる放送番組の広告入札受付システムにおいて、
前記オークション管理サーバはユーザＩＤとそれに関連付けられた加入チャンネルの情報が登録されたユーザデータベースと推薦番組データベースとを有しており、
ユーザ端末から前記ユーザＩＤが入力されてアクセスされると、前記ユーザデータベースの加入チャンネルが検索され、
前記推薦番組データベースから読み出された推薦番組が前記ユーザの加入チャンネルであるか否かを判定し、
加入チャンネルでかつ視聴・録画申し込みがなされていないときには、前記ユーザ端末に対して申込確認ボタンを表示させる広告入札受付システム。
【請求項２】
前記オークション管理サーバは、さらに
前記ユーザ端末から番組ジャンルの指示が入力されると、前記ジャンルの番組を入札金
額の高い順に表示した一覧画面を生成し、前記ユーザ端末に送信・表示させることを特徴とする請求項１記載の広告入札受付システム。
【請求項３】
前記オークション管理サーバは、さらに
ジャンル毎または番組毎の上位１または２以上の入札ユーザの入札金額を表示し、当該
ジャンル毎または番組毎の入札金額をさらに受け付ける一覧画面を生成し、前記ユーザ端末に送信・表示させることを特徴とする請求項１記載の広告入札受付システム。
【請求項４】
前記オークション管理サーバは、さらに縦軸（または横軸）に時間、横軸（または縦軸
）にチャンネルを配置した電子番組表を生成し、該電子番組表を画面データとして前記ユーザ端末に送信・表示させ、
前記ユーザ端末より電子番組表の番組領域が指定されると、当該番組領域に関連付けら
れた番組の広告入札情報を生成し、前記ユーザ端末に送信・表示させることを特徴とする請求項１記載の広告入札受付システム。
【発明の詳細な説明】
【技術分野】
【０００１】
本発明は放送番組の広告入札受付システムおよび番組表示システムに関する。
【背景技術】
【０００２】
地上波や衛星放送等の番組提供に際しては、番組毎に１または２以上のスポンサーが広告枠を買い取って広告情報を提供することが一般的であった。
【０００３】
この広告枠の取得は、広告代理店等を通じて行われることが一般的であったが、地上波デジタル、インターネット放送等の普及によって番組数が飛躍的に増大すると、簡便かつ汎用的な方法で広告入札を受け付けるシステムの普及が必要になってきた。
【０００４】
また、多チャンネル化にともない、ユーザにとっては番組が探せない、番組提供者、スポンサーからは見てもらいたい番組が埋もれてしまうという機会損失の可能性が高くなってきた。
【特許文献１】特開２００２−２４５３３０号公報
【発明の開示】
【発明が解決しようとする課題】
【０００５】
本発明は、斯かる実情に鑑みてなされたものであり、汎用のネットワークを用いた放送番組の広告入札受付システムおよび多チャンネル化にともなう番組視聴の可能性を増大させることが可能な技術を提供しようとするものである。
【課題を解決するための手段】
【０００６】
本発明は放送番組の広告入札システムにかかるものである。
【０００７】
本発明の請求項１は、ネットオークションを管理するオークション管理サーバと、
前記オークション管理サーバからアクセス可能で、番組情報を登録した番組表データベ
ースと、前記オークション管理サーバとネットワークを介して接続されたユーザ端末とからなり、前記オークション管理サーバは、
ＩＤとパスワードとの入力画面を生成してネットワークを介して前記ユーザ端末に送信し、前記ユーザ端末からＩＤとパスワードとが入力されると少なくとも日時と、番組ジャンルと、キーワードと、縦軸（または横軸）に時間、横軸（または縦軸）にチャンネルを配置した電子番組表とを前記ユーザ端末に送信・表示することにより、ユーザにとって番組領域の大きさや時間帯を視覚的に認識しながら入札を行うことを可能とし、
前記ユーザ端末からの日時、番組ジャンル、キーワード、または番組表での広告入札を受け付け、前記広告に対する最高入札金額を前記ユーザ端末に送信・表示し、前記最高入札金額に対する当該ユーザの入札金額の入力を受け付けるオークション管理サーバによる放送番組の広告入札受付システムである。
【０００８】
このシステムによれば、ユーザはユーザ端末を通じて電子番組表の番組領域の大きさや時間帯を視覚的に認識しながら入札を行うことができ、番組の広告入札を簡便にかつ汎用的に行うことができる。
【０００９】
本発明の請求項２は、前記オークション管理サーバは、さらに前記ユーザ端末から番組ジャンルの指示が入力されると、前記ジャンルの番組を入札金額の高い順に表示した一覧画面を生成し、前記ユーザ端末に送信・表示させることを特徴とする請求項１記載の広告入札受付システムである。
【００１０】
これによれば、その時点での最高入札金額を参照しながら入札額を決定し入力すること
ができるため、入札をより簡便に行うことができる。
【００１１】
本発明の請求項３は、前記オークション管理サーバは、さらにジャンル毎または番組毎の上位１または２以上の入札ユーザの入札金額を表示し、当該ジャンル毎または番組毎の入札金額をさらに受け付ける一覧画面を生成し、前記ユーザ端末に送信・表示させることを特徴とする請求項１記載の広告入札受付システムである。
【００１２】
これによれば、ジャンルまたは番組毎の入札金額を一覧することができるため、ジャンル自体を変更したり、番組を変更して入札することが容易となる。
【００１３】
本発明の請求項４は、前記オークション管理サーバは、さらに縦軸（または横軸）に時間、横軸（または縦軸）にチャンネルを配置した電子番組表を生成し、該電子番組表を画面データとして前記ユーザ端末に送信・表示させ、前記ユーザ端末より電子番組表の番組領域が指定されると、当該番組領域に関連付けられた番組の広告入札情報を生成し、前記ユーザ端末に送信・表示させることを特徴とする請求項１記載の広告入札受付システムである。
【００１４】
これによれば、電子番組表をインターフェースとして広告入札が可能となるため、電子番組表の当該番組領域の大きさや時間帯を視覚的に認識しながら入札を行うことが可能となる。
【００１５】
本発明の請求項５は、オークション管理サーバはユーザＩＤとそれに関連付けられた加入チャンネルの情報が登録されたユーザーデータベースと推薦番組データベースとを有しており、ユーザ端末から前記ユーザＩＤが入力されてアクセスされると、前記ユーザデータベースの加入チャンネルが検索され、前記推薦番組データベースから読み出された推薦番組が前記ユーザの加入チャンネルであるか否かを判定し、加入チャンネルでかつ視聴・録画申し込みがなされていないときには、前記ユーザ端末に対して申込確認ボタンを表示させることを特徴とする請求項１記載の広告入札受付システムである。
【００１６】
これによれば、既に加入しているが、購入されていない専門チャンネルの販促につなげるために、優先番組（オススメ番組）を番組表上に露出するスペースを設置し、視聴者がユーザ端末を介して番組表（ＥＰＧ）を閲覧すると、インターネットを経由し、加入チャンネル等のユーザ情報がユーザデータベースに蓄積され、加入チャンネル（登録ユーザ）かどうかの判別を行い、未加入者であれば、全般的な優先番組（オススメ）、既加入者であれば、加入チャンネルであっても未購入番組のオススメを自動露出させるＥＰＧシステムを構築するものである。また、優先番組（オススメ番組）を選択し、ユーザ端末のマウス等の補助入力装置でのクリックもしくはテレビリモコンを操作すると。申込画面に遷移し、直接、チャンネル加入手続きもしくは番組購入ができるものである。
【発明の効果】
【００１７】
本発明の請求項１〜４記載の放送番組の広告入札システムによれば、簡便かつ汎用的な方法で番組広告の入札を受け付けることが可能となる。
【００１８】
また請求項５記載の番組表示システムによれば、既に加入しているが、購入されていない専門チャンネルの販売を促進することができる。
【発明を実施するための最良の形態】
【００１９】
以下、本発明の実施の形態を添付図面を参照して説明する。図１〜図３は発明を実施する形態の一例であって、図中、同一の符号を付した部分は同一物を表わす。
【００２０】
本システムは、オークション管理サーバと、このオークション管理サーバとネットワークを介して接続されるユーザ端末とで構成されている。
【００２１】
そして、オークション管理サーバは番組表データベース、メタデータデータベース、ユーザデータベース、入札データベースを有している。なおこれらのデータベースはそれぞれ別個のデータベース管理サーバ（図示せず）によって管理されているものであってもよい。
【００２２】
オークション管理サーバは、図示は省略するが中央処理装置を中心にバスで接続されたメインメモリ、ディスプレイや印刷装置等の出力装置、キーボードやマウス等の入力装置、ハードディスク装置等の記憶装置を有しており、ハードディスク装置にはオペレーティングシステムとともにオークション管理プログラムがインストールされて当該プログラムが順次バスおよびメインメモリを介して中央処理装置に読み込まれて実行処理されることによりオークションの管理機能を実現するようになっている。
【００２３】
ユーザデータベースには、ユーザ端末を操作するユーザの電子メールアドレス、氏名、会社名、住所等のユーザ（会員）の個人情報が登録されるようになっており、これらの個人情報は当該ユーザのＩＤおよびパスワードと関連付けられてユーザデータベースに登録されている。
【００２４】
メタデータデータベースは、番組に関する情報、たとえば出演者、放送時間、チャンネル、制作会社、番組中の商品やサービスに関する情報等のメタデータが登録されるようになっている。
【００２５】
番組表データベースは、いわゆるＥＰＧ(Electronic ProGram system：電子番組表）の情報が格納されており、オークション管理サーバの中央処理装置が当該ＥＰＧデータを読み込んで所定のフォーマット（ＨＴＭＬフォーマット）で視覚的に表示される電子番組表を生成するようになっている。
【００２６】
入札データベースは、ユーザからの入札情報を格納するデータベースであり、ジャンルや番組毎に入札金額、順位、ユーザ等を管理している。
【００２７】
なお、ユーザ端末は汎用のパーソナルコンピュータ等により構成されており、汎用のブラウザプログラムによってオークション管理サーバのアドレス（ＵＲＬ）を指定してネットワークアクセスが可能なものであればよい。
【００２８】
次に、図１を用いて、オークション管理サーバによる入札受付手順を説明する。
【００２９】
まず、ユーザ端末よりネットワークを介してオークション管理サーバの所定のアドレス（ＵＲＬ）が指定されると、オークション管理サーバの中央処理装置は、トップページを生成する。このトップページには会員認証画面としてＩＤとパスワードの入力画面であり当該入力画面データをネットワークを介してユーザ端末に送信する。
【００３０】
前記トップページの入力画面データを受信したユーザ端末の中央処理装置は、ブラウザプログラムを用いて前記入力画面データを表示データに変換してディスプレイ装置の表示画面として表示する。
【００３１】
ここでユーザは、ユーザ端末のディスプレイ装置上で、ＩＤとパスワードとを入力する。ここで入力されたＩＤとパスワードとはネットワークを介してオークション管理サーバに送信される。
【００３２】
オークション管理サーバでは前記で受信したＩＤとパスワードとの正当性をユーザデータベースを参照して認証する。
【００３３】
一方、前記入力画面データには、「新規会員登録」の入力指示アイコンが用意されており、入力画面データを受信したユーザ端末のユーザがユーザ登録をしておらずＩＤの発行を受けていない場合には、当該ユーザ端末の入力装置によって「新規会員登録」を選択的に入力することによって、オークション管理サーバより「オークション入札会員登録」画面を表示させることができる。
【００３４】
ＩＤを取得していないユーザはユーザ端末を介して当該「オークション入札会員登録」画面を表示させながら、メールアドレス、氏名、会社名、住所等を入力することによって、これらの入力情報が個人情報としてユーザデータベースに登録される。また、このときにＩＤとパスワードとが生成されてユーザに通知される。この通知は電子メールや別途郵送等で行われてもよい。
【００３５】
このようにしてＩＤとパスワードとが発行されたユーザは、前記入力画面においてＩＤとパスワードとを入力し、前記オークション管理サーバの中央処理装置によってその正当性が認証されると、図１の中央上段に示したようなインターフェース画面が表示される。このインターフェース画面では、左側縦方向に、日時、ジャンル、キーワードを入力可能なボックス領域が表示され、右側には電子番組表（ＥＰＧ）が表示されるようになっている。電子番組表は、たとえば入札状況に応じて色分けされており、入札残り時間が１時間以内のものは赤、１時間〜３時間以内のものはオレンジ、３時間〜１２時間以内のものは青、１２時間以上のものは緑等のように色情報を変更することによってオークション入札への緊急性を視覚的に判断できるようになっている。
【００３６】
なお、当該電子番組表の番組領域を、ユーザ端末のマウス等の入力補助装置で指定することによってその時点での入札情報（ベット情報）が生成されて画面右上にウィンドウとして表示されるようになっている。図１の右側縦方向上部に表示した画面はオークション入札・確認画面を示している。この画面では、まず日時とジャンルと当該ジャンルに対するその時点での最高入札金額が表示され、この状態で最高入札金額を確認しながらユーザ端末よりユーザが希望する入札額を入力できるようになっている。
【００３７】
ユーザが、当該オークション入札・確認画面において入札金額を入力した場合には、内容確認画面が表示され（図１の右側縦方向中央部）、当該画面に表示される「入札確認」ボタンの領域をマウス等の補助入力装置で指示するとこれが新たな入札情報として入札データベースに登録される。
【００３８】
一方、オークション管理サーバの中央処理装置は、ジャンル、たとえば「サッカー」が選択的に指定されると、図１の中央下部に示したようにサッカーの番組表を生成し、当該番組表データをネットワークを介してユーザ端末に送信する。このとき、前記入札・確認画面が左上部に頂上表示するように配置されている。したがってこのようなジャンル毎の
番組表を参照しながら入札を行うことも可能となっている。
【００３９】
なお、入札情報に基づいてどのようにオークションを行うかについては、従来技術と同様であるため、本実施形態では説明は省略する。
【００４０】
図２は、ジャンル毎の入札状況を初期画面として表示するようにしたものである。
【００４１】
すなわち、オークション管理サーバの中央処理装置は、ＩＤとパスワードによる認証処理が完了すると、図２の中央上部に表示したジャンル毎の上位６社（６名）の入札金額を表示し、ジャンル毎の入札金額の入力が当該画面で行える画面を生成し、ユーザ端末に送信・表示させるようになっている。
【００４２】
この画面に対して、ユーザ端末から金額が入力されて「入札ボタン」が指示入力されると、当該広告の掲載イメージの画面が表示される。そして右上に表示されるポップアップウィンドウにおいて、入札・確認画面が表示されるようになっており、ユーザが同意すれば当該入札・確認画面に表示された「入札確認ボタン」を指示入力することにより、そのまま掲載予定の広告原稿を入稿するフォームに遷移し、原稿データを入稿することが可能となっている。この原稿データの入稿処理については説明を省略する。
【００４３】
なお、「入稿終了ボタン」が指示入力されると、現状の入札価格の掲載予定の掲載イメージが再度画面に表示されるようになっている。
【００４４】
図３は、電子番組表の番組領域を指定すると、当該番組に対応する入札情報が同図中央下部の画面に示したように表示されるようになっている。
【００４５】
すなわち、まず図３の中央上図において左縦欄の日時、ジャンルのボックスに対して、プルダウン形式または直接入力形式で空白を埋めてゆき、それぞれ項目を決定すると、当該ジャンルに対応した電子番組表が右部に表示される。
【００４６】
この電子番組表において、特定の番組のテレビCM広告枠に入札したい場合、ユーザ端末において当該番組領域を指示・入力する。この作業によってユーザ端末のディスプレイ装置の右上にはポップアップウィンドウ（内容確認画面）が表示される。
【００４７】
ここで「入札へ」ボタンを選択・入力すると、同図中央下部に表示された画面のように、入札受付画面が表示される。この入札受付画面では、入札金額の入力欄とともに、放送日時、放送局名、放送枠時間、上位５社（５名）の入札額等が表示されるようになっている。
【００４８】
ここで、所定の番組に対して入札額を入力すると、同図右下に示すように「内容確認」画面が表示される。当該画面において、「入札確認ボタン」を指示・入力すると、当該入札情報が入札データベースに格納されるようになっている。
【００４９】
図４は、実施形態の変形例である広告入札受付システムにおける番組表示システムの概要を示す図である。
【００５０】
同図は、図１乃至図３で説明したオークションサーバとしても機能する番組表管理サーバと、ユーザデータベースと、番組表データベースと、優先番組データベースと、ネットワークを介して接続されるユーザ端末とで構成されている。
【００５１】
同図において、番組表管理サーバは、ユーザデータベースを有しており、このユーザデータベースには、ユーザＩＤとそれに関連付けられた加入チャンネルの情報や購入番組情報が登録されている。メタデータベース（メタDB）は、番組の提供チャンネル、提供日時
、番組の出演者、スタッフ、内容、スポンサー等に関するテキストデータや画像データを記録するデータベースであり、このメタデータから番組表が生成され、番組表データベースに格納されている。
【００５２】
また、申込データベースは、ユーザ毎に視聴または録画を申し込んだ番組を格納するデータベースである。
【００５３】
番組表管理サーバは、図示は省略するが中央処理装置を中心にバスで接続されたメインメモリ、ディスプレイや印刷装置等の出力装置、キーボードやマウス等の入力装置、ハードディスク装置等の記憶装置を有しており、ハードディスク装置にはオペレーティングシステムとともにオークション管理プログラムがインストールされて当該プログラムが順次バスおよびメインメモリを介して中央処理装置に読み込まれて実行処理されることにより番組表管理機能を実現するようになっている。
【００５４】
ユーザ端末からネットワークを介して番組表管理サーバがアクセスされると、番組表管理サーバによるユーザ認証処理が行われる。具体的にはＩＤとパスワードとの入力画面が生成され、ユーザ端末に送信される。ユーザ端末からＩＤとパスワードが入力されると、ユーザデータベースがアクセスされてその正当性が認証される。
【００５５】
番組表管理サーバの中央処理装置は、前記ユーザ認証が完了すると、当該ユーザＩＤをキーにユーザデータベースにアクセスし、加入チャンネルを検索する。
【００５６】
また、番組表管理サーバの中央処理装置は、推薦番組データベースにアクセスして推薦番組を読み出す。このとき、中央処置装置は、プログラムに基づいて、この推薦番組が当該ユーザの加入チャンネルであるか否かを判断する。
【００５７】
そして未加入チャンネルである場合には、前記推薦番組をそのまま推薦チャンネル（オススメ番組のチャンネル）に当てはめて番組表情報を生成する。この番組表情報は、ＨＴＭＬ、ＸＭＬ等の所定の書式フォームで記述され、ネットワークを介してユーザ端末に送信され、該ユーザ端末の表示画面に表示される。
【００５８】
一方、推薦番組が当該ユーザの加入チャンネルで提供されるものである場合には、番組管理サーバの中央処理装置は、申込データベースにアクセスして、当該推薦番組が既に当該ユーザによって視聴・録画が申し込まれたものであるか否かを検索する。そして、視聴・録画が申し込まれていない番組である場合には、図４の右下図に示すようなオススメ番組申込画面を生成し、ネットワークを介してユーザ端末に送信・表示させる。そして、ユーザ端末から申込確認ボタンが指示され、申込入力がされた場合には、申込データベースに当該加入者ＩＤとともに視聴・録画申込情報が書き込まれる。
【００５９】
このように、図４では、既に加入しているが、購入されていない専門チャンネルの販促につなげるために、優先番組（オススメ番組）を番組表上に露出するスペースを設置し、視聴者がユーザ端末を介して番組表（ＥＰＧ）を閲覧すると、インターネットを経由し、加入チャンネル等のユーザ情報がユーザデータベースに蓄積され、加入チャンネル（登録ユーザ）かどうかの判別を行い、未加入者であれば、全般的な優先番組（オススメ）、既加入者であれば、加入チャンネルであっても未購入番組のオススメを自動露出させるＥＰＧシステムを構築するものである。また、優先番組（オススメ番組）を選択し、ユーザ端末のマウス等の補助入力装置でのクリックもしくはテレビリモコンを操作すると。申込画面に遷移し、直接、チャンネル加入手続きもしくは番組購入ができるものである。
【００６０】
なお、本発明の放送番組の広告入札システムおよび番組表示システムは、上記した実施
の形態に限定されるものではなく、本発明の要旨を逸脱しない範囲内において種々変更を加え得ることは勿論である。
【産業上の利用可能性】
【００６１】
本発明の放送番組の広告入札システムによれば、簡便な方法で汎用的なシステムを用いた番組広告の入札受付システムを構築することができる。
【図面の簡単な説明】
【００６２】
【図１】本発明の実施形態である入札受付システムの概要を示す図（１）
【図２】本発明の実施形態である入札受付システムの概要を示す図（２）
【図３】本発明の実施形態である入札受付システムの概要を示す図（３）
【図４】本発明の実施形態である番組表示システムの概要を示す図
【図１】
0004801908.tif 000002
【図２】
0004801908.tif 000003
【図３】
0004801908.tif 000004
【図４】
0004801908.tif 000005